(57)【要約】【課題】傘の修理および構成部品の分別廃棄のための分解に際して、支え骨が下ろくろから容易に外れるようにする。【解決手段】開傘時の下ろくろ６の中棒２における摺動上限を規定するストッパーピン１５を、下ろくろ６の摺動上限を越えた上方への摺動を可能にすべく中棒２の外周面に対して出没可能に設けるとともに、下ろくろ６を、ストッパピン１５を越えた上方位置において支え骨８の根元部が下ろくろ６から分離し得るように構成する。【選択図】図２３
2009136362.tif 000002
【特許請求の範囲】
【請求項１】
支え骨の根元部を枢支して中棒に摺動自在に嵌装されたスライドろくろの開傘時における中棒上の摺動上限を規定するストッパーピンが、前記スライドろくろの前記摺動上限を越えた上方への摺動を可能にすべく前記中棒の外周面に対して出没可能に該中棒に設けられてなることを特徴とするリサイクル傘。
【請求項２】
前記スライドろくろが、手開き式傘の下ろくろであることを特徴とする請求項１記載のリサイクル傘。
【請求項３】
前記下ろくろは、支え骨枢支部材と、該支え骨枢支部材に分離可能に結合される下ろくろ本体とからなり、該下ろくろが前記ストッパーピンよりも下方にあるときには、前記支え骨枢支部材と前記ろくろ本体とが分離不能になり、前記ストッパーピンを越えて上方へ摺動された場合に、前記支え骨枢支部材と前記ろくろ本体とが分離可能になって、前記支え骨の根元部を解放し得るように構成されてなることを特徴とする請求項２記載のリサイクル傘。
【請求項４】
前記スライドろくろが、開傘時に、下ろくろとの間に縮装されているばねの作用で摺動されて前記ストッパーピンに衝接する自動開き傘の中ろくろであることを特徴とする請求項１記載のリサイクル傘。
【請求項５】
手元の中棒挿入孔に嵌挿される前記中棒の下端部に第２のストッパーピンが前記中棒の外周面に対して出没可能に設けられ、前記手元の中棒挿入孔の内周面に、前記中棒の外周面から突出した前記第２のストッパーピンに係合して前記中棒を前記手元の中棒挿入孔内に係止する凹部が形成されてなることを特徴とする請求項１から４のいずれか１項記載のリサイクル傘。
【請求項６】
前記手元の中棒挿入孔の内周面に形成された前記凹部に連通する、取外し用治具のピンの挿入可能な細孔が、前記手元の外周面に開口してなることを特徴とする請求項５記載のリサイクル傘。
【発明の詳細な説明】
【技術分野】
【０００１】
本発明は、製作時における組立てが容易であるのみでなく修理および廃棄に際しての分解が容易で、部材の再利用および材質別の分別を可能にしたリサイクル傘に関し、特に中棒の構成に関するものである。
【背景技術】
【０００２】
通常の傘は、金属製部材（中棒、親骨，支え骨等）と、一般に合成樹脂（以下単に「樹脂」と呼ぶ）または木材、布からなる非金属製部材（手元、上ろくろ、下ろくろ、シート等）から構成されているが、各部材は恒久的にあるいは分解が極めて困難な状態で連結されている。
【０００３】
また、支え骨の根元部を枢支した下ろくろが摺動自在に嵌装されている中棒の上部には、開傘時における下ろくろの摺動上限を規定するためのストッパーピンが固定されている。
【０００４】
近時、環境汚染問題が特にクローズアップされている中、材質別の分別廃棄を義務付ける地方自治体も多くなってきたために、傘の金属製部材と非金属製部材との分別廃棄を容易にすることが要望されている。
【０００５】
これに加えて、特にファッションの一部としての婦人用の高価な高級傘等に関しては、可能な限り迅速なかつ部品の交換を必要最小限に留めた修理が可能なことが要望されている。
【０００６】
一方、使用上の便利さから、自動開き傘（ジャンプ傘とも言う）が多数販売されるようになってきた。典型的な自動開き傘の構成は、例えば特許文献１に開示されているように、手開き式傘と同様に、中棒の先端に固定されたた上ろくろと、中棒に摺動自在に嵌着されてその摺動動作により傘を開閉する下ろくろとに加えて、上ろくろと下ろくろとの間において中棒に摺動自在に嵌着された中ろくろを備えており、手開き式傘では下ろくろに枢支されている支え骨の根元部が上記中ろくろに枢支され、下ろくろには、支え骨の中間部に先端を枢着された細く短い受け骨の根元部が枢支されるようになっている。中ろくろと下ろくろとの間には強力なコイルばねが縮装され、中棒の手元の近接した位置には、中棒の外周面から突出する方向に付勢された態様で出没自在な留め金が設けられているとともに、この留め金を中棒内に没入させるための押しボタンが留め金と手元との間に設けられている。
【０００７】
そして、下ろくろを手に持って手元側に引き寄せることにより傘を閉じると、受け骨および支え骨を介して中ろくろが下ろくろに接近せしめられることにより、コイルばねが圧縮され、その状態で傘は、下ろくろが留め金によって手元の近接した位置に係止された閉状態となる。
【０００８】
この閉状態で押しボタンを押圧すると、留め金による係止を解除された下ろくろがコイルばねの弾発力で中ろくろとともに勢い良く中棒上を上ろくろに向かって摺動して傘が開くように構成されている。
【特許文献１】特開２００６−３２５８９９号公報
【発明の開示】
【発明が解決しようとする課題】
【０００９】
しかしながら、従来の傘は、修理または廃棄のための分解が困難な上にリサイクルも困難であった。特に、特許文献１に記載されているような自動開き傘においては、中ろくろと下ろくろとの間には強力なコイルばねが縮装されているため、このコイルばねの弾発力が完全に消勢された状態で分解できるようにしなければ、分解が困難であるばかりでなく、危険をも伴うものである。
【００１０】
また、手開き式傘においても、下ろくろから支え骨をより容易に取り外すことが容易な中棒の構造が望まれている。
【００１１】
上述の事情に鑑み、本発明の目的は、下ろくろまたは中ろくろから支え骨を取り外すことが容易かつ安全なリサイクル傘を提供することにある。
【００１２】
なお、以下の説明において、上部または上方は傘の石突き側を意味し、下部または下方は傘の手元側を意味するものとする。
【課題を解決するための手段】
【００１３】
本発明によるリサイクル傘においては、支え骨の根元部を枢支して中棒に摺動自在に嵌装されたスライドろくろの開傘時における中棒上の摺動上限を規定するストッパーピンが、上記スライドろくろの上記摺動上限を越えた上方への摺動を可能にすべく上記中棒の外周面に対して出没可能に中棒に設けられてなることを特徴とするものである。
【００１４】
上記スライドろくろは、手開き式傘の場合は下ろくろ、自動開き傘の場合は中ろくろである
上記スライドろくろが下ろくろの場合、この下ろくろは、支え骨枢支部材と、この支え骨枢支部材に分離可能に結合される下ろくろ本体とからなる。この下ろくろは、上記ストッパーピンよりも下方にあるときには、上記支え骨枢支部材と上記ろくろ本体とが分離不能になり、かつ前記ストッパーピンを越えて上方へ摺動された場合に、前記支え骨枢支部材と前記ろくろ本体とが分離可能になって、前記支え骨の根元部を解放し得るように構成されていることが好ましい。
【００１５】
また、手元の中棒挿入孔に嵌挿される上記中棒の下端部に第２のストッパーピンが上記中棒の外周面に対して出没可能に設けられ、上記手元の中棒挿入孔の内周面に、中棒の外周面から突出した上記第２のストッパーピンに係合して中棒を手元の中棒挿入孔内に係止する凹部が形成されていることが好ましい。そして、この凹部に連通する、取外し用治具のピンの挿入可能な細孔が、手元の外周面に開口していることが好ましい。
【発明の効果】
【００１６】
本発明によれば、傘の分解時にスライドろくろを上記ストッパーピンよりも上方へ摺動させることにより、支え骨をスライドろくろから取り外すことが容易になり、自動開き傘においては、中ろくろをストッパーピンよりも上方へ摺動させることにより、下ろくろとの間に縮装されている強力なコイルばねの弾発力を消勢させることができるから、安全に傘を分解することができる。
【００１７】
また、手開き式傘においても、下ろくろを、それが上記ストッパーピンよりも下方にあるときには、上記支え骨枢支部材と上記ろくろ本体とが分離不能になり、ストッパーピンを越えて上方へ摺動された場合に支え骨枢支部材とろくろ本体とが分離可能になるように構成しておくことにより、傘の使用時における支え骨枢支部材と下ろくろ本体との意図しない分離を防止することができる。
【００１８】
さらに、手元の中棒挿入孔に嵌挿される上記中棒の下端部に第２のストッパーピンが上記中棒の外周面に対して出没可能に設けられ、上記手元の中棒挿入孔の内周面に、中棒の外周面から突出した上記第２のストッパーピンに係合して中棒を手元の中棒挿入孔内に係止する凹部が形成されていることにより、中棒に対する手元の取付けが容易になる。そして、上記凹部に連通する、取外し用治具のピンの挿入可能な細孔を、手元の外周面に開口させておくことにより、中棒から手元を取外すときには、上記治具のピンの先端で２のストッパーピンの頭を押して中棒内に没入させることにより、ワンタッチで中棒から手元を取外すことができる。
【発明を実施するための最良の形態】
【００１９】
以下、図面を参照して本発明による傘の好ましい実施の形態について詳細に説明する。図１は、本発明による傘の閉状態における全体構成を、一部を省略して示す概略図である。
【００２０】
図１において、この手開き式傘１は、金属製の中棒（支柱）２と、この中棒２の上端部に嵌装固定された合成樹脂製の上ろくろ３と、この上ろくろ３に根元部を枢着された複数の金属製またはカーボンファイバ製の親骨４と、これら親骨４に沿って張架された布製または樹脂製の生地（シート）Ｓと、上ろくろ３を生地Ｓとともに中棒２に固定する陣笠５と、中棒２に摺動自在に嵌装された合成樹脂製の下ろくろ６と、この下ろくろ６に根元部を枢着されかつ先端部を親骨４の中間部の点Ｐにおいて枢着された複数の金属製またはカーボンファイバ製の支え骨８と、中棒２の下端部に固定された合成樹脂製または木製の手元１０とを備えている。中棒２の上端には石突き１４が嵌着されている。生地（シート）Ｓの周縁８箇所には、親骨４の先端部に取外し可能に嵌着される露先９が固定されている。
【００２１】
また、この傘１の閉状態において、下ろくろ６を手元１０に近接した位置に係止するためと、下ろくろ６を傘１の開状態に保つためとに用いられる金属製留め金（はじき）１２，１３が、中棒２の外周面から突出する方向にばね付勢された態様で中棒２に出没自在に設けられている。さらに、中棒２には、下ろくろ６の摺動動作の上限を規定する押しボタン式ストッパーピン１５が中棒２の外周面から突出する方向にばね付勢された態様で中棒２に出没自在に設けられている。
【００２２】
図２は、図１の傘１の上端部の分解正面図である。なお、図２においては、一対の上ろくろ位置決め孔１６を備えた中棒２が、その軸線の周りで９０°回転した状態で示されている。上ろくろ３は、上ろくろ本体１８と、親骨枢支ディスク２０と、親骨外れ防止ナット２２とによって構成されている。上ろくろ３の上には生地Ｓを介して陣笠５が螺着される。
【００２３】
図３Ａ〜図３Ｄは上ろくろ本体１８を示し、図３Ａは平面図、図３Ｂは正面図、図３Ｃは底面図、図３Ｄは図３Ａの３Ｄ−３Ｄ線に沿う断面図である。
【００２４】
この上ろくろ本体１８は、中棒２の上ろくろ位置決め穴１６に係入される互いに対向する一対の突起２４，２４を内周面に備えた中棒挿通孔２６と、親骨４の根元部を収容するための上下に貫通する８個の親骨収容溝２８を、ほぼ４５°の角間隔を保ってほぼ等間隔に放射状に周縁に形成した円板状のフランジ３０とを同軸的に備えた円筒体からなり、フランジ３０の上方には、環状の親骨枢支ディスク２０が嵌着される円筒部３１が連接され、さらにこの円筒部３１の上方には、雄ねじ３２が上端まで形成されているとともに、この上端から軸線を含む面に沿って下方へ延びる一対の割溝３４，３４が設けられている。
【００２５】
上ろくろ本体１８の内周面に形成されている上記一対の突起２４，２４は、図３Ａおよび図３Ｃから明らかなように、上記割り溝３４，３４および軸線を含む面に対して軸線上で直交する面上にあり、かつ上記円筒部３１からフランジ３０に亘る内周面に形成されている。そして上記割り溝３４，３４は、上ろくろ本体１８の上端から軸線と平行に下方へ向かってフランジ３０を通過してフランジ３０の下方まで延びている。
【００２６】
フランジ３０には、一つの同心円上に整列する８個のディスク位置決め孔３６が、隣接する親骨収容溝２８，２８の間の位置においてフランジ３０を貫通して形成されている。
【００２７】
図４Ａ〜図４Ｄは親骨枢支ディスク２０を示し、図４Ａは平面図、図４Ｂは正面図、図４Ｃは底面図、図４Ｄは図４Ａの４Ｄ−４Ｄ線に沿った断面図である。
【００２８】
上ろくろ本体１８のフランジ３０上に添接可能に構成された親骨枢支ディスク２０は、上ろくろ本体１８のフランジ３０とほぼ同径の外径と、上ろくろ本体１８の円筒部３１に嵌着可能な内径の軸孔３７とを備えて環状に構成され、フランジ３０の親骨収容溝２８に対応する上下に貫通する８個の親骨収容溝３８を備えている。またその底面には、フランジ３０の８個のディスク位置決め孔３６に嵌合する８本の位置決め突起４０を備え、この親骨枢支ディスク２０がフランジ３０上に添接されると、双方の親骨収容溝２８，３８が一致するように構成されている。
【００２９】
親骨枢支ディスク２０の上面には、親骨４の根元部に形成された突軸４４（図５Ａ）を枢支するための突軸枢支溝４２が、各親骨収容溝３８の両側に親骨収容溝３８と直交するように形成されている。また、親骨枢支ディスク２０の上面の軸孔３７の周囲には突縁４６が形成されている。
【００３０】
図５Ａは、親骨４の根元部を示す底面図、図５Ｂは親骨４の根元部が親骨枢支ディスク２０に枢支された状態を示す平面図である。親骨４の根元部４ａは、上記親骨収容溝２８，３８内に挿入可能なように平に潰されるとともに、枢軸となる突軸４４が一体に形成されている。そして、突軸４４を備えた全ての親骨４の根元部４ａを、図５Ｂに示すように親骨枢支ディスク２０の上面に開口する親骨収容溝３８および突軸枢支溝４２に取り付けると、図５Ｂに示す状態となる。
【００３１】
図６Ａ，図６Ｂは親骨外れ防止ナット２２の断面図および底面図を示し、その軸孔４７の内周面には、上ろくろ本体１８の円筒部３１の雄ねじ３２に螺着される雌ねじ４８を備え、かつ底面の軸孔４７の周囲には、親骨枢支ディスク２０の突縁４６に嵌着される環状凹部５０を備えている。この親骨外れ防止ナット２２は、図５Ｂに示すようにすべての親骨４の根元部４ａを取り付けた親骨枢支ディスク２０に上方から嵌着することによって、親骨４の外れ防止して、上ろくろ３に対する親骨４の取り付け作業を容易にする機能を有する。
【００３２】
なお、親骨外れ防止ナット２２の代わりに、上ろくろ本体１８の円筒部３１の根元に比較的きつく嵌着される親骨外れ防止リングを用いてもよい。
【００３３】
以上のような構成を有する上ろくろ本体１８および親骨枢支ディスク２０を備えた上ろくろ３を中棒２に取り付ける場合には、先ず上ろくろ本体１８の突起２４，２４と、中棒２の上ろくろ位置決め孔１６，１６との方位を整合させた態様で上ろくろ本体１８を上方から中棒２に挿入するが、突起２４，２４が中棒２に当接すると、割溝３４，３４が突起２４，２４よりも下方まで延びていることにより、上ろくろ本体１８が弾性的に開いて中棒２の外周面における突起２４，２４の摺動が許容され、突起２４，２４が上ろくろ位置決め孔１６，１６に係入した時点で、上ろくろ本体１８は元の状態に復帰する。
【００３４】
次に、上方から中棒２に挿入した親骨枢支ディスク２０を上ろくろ本体１８の円筒部３１に嵌着し、親骨枢支ディスク２０の位置決め突起４０を上ろくろ本体１８のフランジ３０の位置決め孔３６に嵌合させた状態で、親骨枢支ディスク２０にすべての親骨４の根元部を枢支させた後、親骨枢支ディスク２０の上方に露出する雄ねじ３２に親骨外れ防止ナット２２を螺着して親骨枢支ディスク２０の上面に蓋をする。
【００３５】
図７Ａ，図７Ｂは陣笠と呼ばれる固定部材５の断面図および底面図を示し、この陣笠５は、その中棒２に挿通する軸孔５１の中間部に、上ろくろ本体１８の雄ねじ３２に嵌着される雌ねじ５２を備え、かつその底面に、親骨外れ防止ナット２２を収容する凹部５３を備えている。そして、中棒２が挿通される中心孔（図示せず）を備えた生地Ｓを親骨外れ防止ナット２２上に被せた後、陣笠５を上ろくろ本体１８の雄ねじ３２の上端部に螺着することにより、上ろくろ３が中棒２に強固に固定される。
【００３６】
次に、中棒２に摺動自在に嵌装される下ろくろ６は、図８Ａ〜図８Ｅに示す支え骨枢支部材５４と、この支え骨枢支部材５４の下側に連結される、図９Ａ〜図９Ｄに示すような下ろくろ本体５６とから構成されている。
【００３７】
図８Ａは支え骨枢支部材５４の平面図、図８Ｂは正面図、図８Ｃは側面図、図８Ｄは底面図、図８Ｅは図８Ａの８Ｅ−８Ｅ線に沿った断面図である。
【００３８】
中棒２が通る軸孔５７を備えた支え骨枢支部材５４は、支え骨８の根元部を収容するための上下に貫通する８個の支え骨収容溝５８を軸孔５７の周囲に約４５°の角間隔を保ってほぼ等間隔に放射状に形成した比較的厚い環状の支え骨枢支ディスク部６０と、このディスク部６０の下面から同軸的に一体に垂設された、ディスク部６０よりも小径の連結用円筒部６２とから構成されている。ディスク部６０の下面には、図５Ａに示した親骨４の場合と同様に支え骨８の根元部に形成された突軸６５（図１１Ａ，図１１Ｂ参照）を枢支するための、突軸枢支溝４２と同様の上下方向に細長く延びる突軸枢支溝６４が、各支え骨収容溝５８の両側に支え骨収容溝５８と直交するように形成されている。
【００３９】
支え骨枢支部材５４は、下ろくろ本体５６に対してバヨネット式（差込みソケット式）に係止されて下ろくろ本体５６と一体化されるように構成されており、そのため、支え骨枢支部材５４の連結用円筒部６２の外周面の下端には、放射方向に突出する一対の係合突起６６，６６が、図８Ｄから特に明らかなように、支え骨枢支部材５４の軸線に対して対称的位置に、かつ底面図で見て隣接する二つの支え骨収容溝５８の中間に位置するように、すなわち支え骨収容溝５８に対して角度２２．５°だけ位相がずれた関係で突設されている。そして、これら係合突起６６，６６の上面は、図８Ｂから明らかなように、浅い凹面６６ａを形成している。
【００４０】
図９Ａは下ろくろ本体５６の平面図、図９Ｂはその正面図、図９Ｃは図９Ｂの９Ｃ−９Ｃに沿った断面図、図９Ｄは図９Ａの９Ｄ−９Ｄに沿った断面図、図１０は下ろくろの正面図である。
【００４１】
上記支え骨枢支部材５４の軸孔５７と同径の軸孔６７を有し、かつ傘１の開閉操作時の掴み部となる細長い円筒部７１を備えた下ろくろ本体５６は、支え骨枢支部材５４のディスク部６０とほぼ同径のフランジ７０を上端に備え、上面中央には、支え骨枢支部材５４の円筒部６２を取り外し可能に嵌着させる円筒状凹部７２が同軸的に開口している。円筒部７１の周壁には、「はじき」と呼ばれる留め金１２を出没させる細長い開口部７６が形成されている。
【００４２】
凹部７２の周縁の２箇所には、支え骨枢支部材５４を下ろくろ本体５６に組み付ける際に、支え骨枢支部材５４の係合突起６６，６６の上方からの挿入を許容する垂直方向の係合溝７４，７４が、フランジ７０の上面から凹部７２の底面７２ａまで上下方向に刻設され、さらに各係合溝７４の下端からは、支え骨枢支部材５４が下ろくろ本体５６に対して図９Ａの時計方向（図９Ｃの反時計方向）に約２２．５°だけ回動し得るように係合突起６６の通路となる水平方向の係合溝７５が、下ろくろ本体５６の周壁を貫通して外部に開口する態様で、凹部７２の底面７２ａとフランジ７０の下面との間に形成されている。すなわち、図９Ｄに示すように、互いに連通する垂直方向の係合溝７４と水平方向の係合溝７５とが鉤型の、すなわち軸孔６７の内側から見てＬ字型の係合溝７８を形成しており、各係合突起６６が各水平方向の係合溝７５の終端の壁面７７に当接しかつ係合突起６６を水平方向の係合溝７５から外部に露出させた状態で、下ろくろ本体５６側のＬ字型の係合溝７８，７８と、支え骨枢支部材５４側の係合突起６６，６６とによる、支え骨枢支部材５４と下ろくろ本体５６とのバヨネット式の係合が達成されることになる（図１０図参照）。
【００４３】
さらに、図９Ｂおよび図９Ｃから明らかなように、下ろくろ本体５６のフランジ７０の下面の２箇所には、上述のようにバヨネット式の係合が達成された時点で、各係合突起６６の凹面６６ａにそれぞれ係合する放射方向に延びる突条７９が形成されて、下ろくろ本体５６と支え骨枢支部材５４とが所定の相対的位置関係をもって確実に係止されるように構成されている。
【００４４】
さらに、下ろくろ本体５６のフランジ７０の上面には、支え骨８の根元部の介入を許容する８個の比較的浅い支え骨介入溝８０が、軸孔５７の周囲に約４５°の角間隔を保ってほぼ等間隔に放射状に形成されている。これら８個の支え骨介入溝８０のうちの対向する一対は、垂直方向の溝７４，７４と整合しており、支え骨枢支部材５４側の支え骨収容溝５８とは角度約２２．５°だけ位相がずれた関係にある。そして、下ろくろ本体５６の垂直方向の係合溝７４，７４を支え骨枢支部材５４の係合突起６６，６６に合わせて、下ろくろ本体５６を下方から支え骨枢支部材５４に嵌合させ、次いで、支え骨枢支部材５４に対して下ろくろ本体５６を図９Ａの時計方向（図９Ｃの反時計方向）に回動させてバヨネット式の係止が達成された時点で、図１０に示すように、支え骨枢支部材５４側の支え骨収容溝５８が下ろくろ本体５６側の支え骨介入溝８０とが整合することになる。
【００４５】
上記支え骨枢支部材５４側の支え骨収容溝５８に加えて、下ろくろ本体５６側にも支え骨介入溝８０を形成した理由は下記の通りである。すなわち、傘１が組み立てられた状態では、図１１Ａに示すように、上下方向に細長く延びる突軸枢支溝６４に枢支された突軸６５が突軸枢支溝６４の下部に降下して支え骨８の根元部の一部が支え骨介入溝８０内に係入することになって、支え骨８の根元部がストッパとして機能することにより、突起６６，６６の凹面６６ａと突条７９との係合と相俟って、下ろくろ本体５６に対する支え骨枢支部材５４の係合を脱する方向への意図しない相対的回動が阻止される。
【００４６】
一方、傘１の分解時には、生地（シート）Ｓを外された傘骨がお猪口状態にされるので（図２３参照）に示されているように、支え骨８が上方に引かれ、図１１Ｂに示すように、突軸枢支溝６４内の突軸６５が突軸枢支溝６４内を上方へ移動して、支え骨８の根元部が支え骨介入溝８０から上方へ脱出する。したがって、支え骨枢支部材５４に対する下ろくろ本体５６の係合を脱する方向への相対的回動が可能になる。
【００４７】
図１２は、中棒２の要部を示す正面図であり、従来の傘と同様に、中棒２の外周面から突出する方向にばね付勢された態様で中棒２に出没自在に設けられ上下一対の金属製留め金（はじき）１２，１３を備えていることに加えて、下ろくろ６の摺動動作の上限を規定するとともに傘分解時の下ろくろ６の通過を許容する上方の押しボタン式ストッパーピンピン１５と、手元９０を取外し可能に中棒２に固定するための押しボタン式ストッパーピン１７とが、同じく中棒２の外周面から突出する方向にばね付勢された態様で中棒２に出没自在に設けられている。さらに、中棒２の下端には、傘１の手元９を持ったときの中棒２のガタつきを防止するための手元押しばね１９が内装されている。なお、理解を容易にするために、図１２においては、一対の留め金１２，１３および一対のストッパーピン１５，１７がすべて同一平面上に存在するように描いてある。
【００４８】
図１３は、中棒２に押しボタン式ストッパーピン１５を取り付けた状態を示す断面図で、図１４（Ａ）は押しボタン式ストッパーピン１５の平面図、図１４（Ｂ）は側面図、図１４（Ｃ）は図１４（Ｂ）の１４Ｃ−１４Ｃ線に沿った断面図、図１４（Ｄ）は図１４（Ｂ）の１４Ｄ−１４Ｄに沿った断面図である。
【００４９】
この押しボタン式ストッパーピン１５は、中棒２内に軸線方向に挿入されて所定位置において中棒２にカシメ付けられる円筒状の筺体１５ａと、筺体１５ａ内の円筒状空間内に挿入されるピン本体１５ｂおよびコイルバネ１５ｃとからなり、ピン本体１５ｂはその背面にフランジ１５ｄを一体に備え、このフランジ１５ｄと中棒２の内壁面との間に縮装されたコイルバネ１５ｃによって付勢されたピン本体１５ｂが、中棒２に形成された小孔２ａから弾性的に出没し得るように構成されている。
【００５０】
なお、ばねの作用で自動的に開くように構成された、所謂ジャンプ傘においては、上ろくろと下ろくろとの間において中棒に摺動自在に嵌着された中ろくろを備えており、手開き式傘では下ろくろ６に枢支されている支え骨８の根元部が上記中ろくろに枢支され、下ろくろには、支え骨の中間部に先端を枢着された細く短い受け骨の根元部が枢支されるようになっている。そして傘が開くときに中ろくろがピン本体１５ｂに当接する衝撃が手開き傘よりも大きいため、図１５に示すように、中棒２の両側に突出する一対のピン本体１５ｂ，１５ｂを備えたストッパーピン１５′を用いて、衝撃を分散させることが好ましい。図１６（Ａ）は一対のピン本体１５ｂを備えたストッパーピン１５′の、図１４（Ｃ）に対応する断面図、図１６（Ｂ）は図１４（Ｄ）に対応する断面図である。
【００５１】
図１７（Ａ）および（Ｂ）は、中棒が木製である場合に適応した押しボタン式ストッパーピン１５″の側面図および断面図、図１８はこのストッパーピン１５″が中棒２′内に装着された状態を示す断面図である。この押しボタン式ストッパーピン１５″は、中棒２′に対しその軸線と直交する方向に形成した円筒状の孔８２に嵌着されるように構成された円筒状の筺体１５ａ′内の空間に、上述と同様の構成を有するフランジ付きピン本体１５ｂおよびコイルばね１５ｃが内蔵されている。この場合、筺体１５ａ′は前面が壁面で閉塞されかつ後面が開放されてコ字状の断面形状を有しており、その前壁と中棒２′との間にコイルばね１５ｃが縮装されている。前壁には、ピン本体１５ｂを弾性的に出没させる小孔１５ｅが同心的に開けられている。
【００５２】
図１９は、中棒２の下端部とともに示す手元１０の一部を断面とした正面図である。この手元１０は、木またはプラスチックで形成され、その中軸挿入孔には、中棒２の外径よりも若干小径の内径を有して中棒２の挿入を許容する金属製のスリーブ９０が同軸的に嵌着されている。
【００５３】
中棒２の下端から所定の距離をおいて中棒２に装着された押しボタン式ストッパーピン１７は、図１３および図１４を参照して説明した押しボタン式ストッパーピン１５と同一構成を有するので、図１９においては、図１３における符号１５ａ〜１５ｄをそれぞれ１７ａ〜１７ｄに代えるのみに留めて、重複する説明は省略するが、スリーブ９０には、中棒２の下端部がスリーブ９０内の所定位置まで挿入された場合に、中棒２のピン本体１７ｂを突出させている小孔に合致して、ピン本体１７ｂが係入する係止孔９２が形成されており、これによって、中棒２の下端部が手元１０に固定される。
【００５４】
また、上記スリーブ９０に形成された係止孔９２の位置に対応する手元１０の部位には、係止孔９２とほぼ同心的にアクセス用の細孔９３が形成されており、中棒２から手元１０を外すときには、ピン９４ａを備えた治具９４を用い、そのピン９４ａの先端でピン本体１７ｂをコイルばね１７ｃの付勢力に抗して押圧して、ピン本体１７ｂを係止孔９２から退去させることにより、中棒２の下端部を手元１０から引き抜くことができる。
【００５５】
図２０は、傘１の手元１０を持ったときの中棒２のガタつきを防止するために、中棒２の下端に装着された手元押しばね１９の拡大図を示し、このばね１９は金属パイプ９４内に固定されており、この金属パイプ９４を中棒２内部の所定位置にカシメ付けることにより、手元押しばね１９が中棒２に固定されるように構成されている。
【００５６】
また、図１２を参照すると、中棒２の下端に切欠き９５が形成されているが、この切欠き９５は、手元１０の中棒挿通孔の底に形成された突起（図示は省略）と係合して、中棒２の軸線周りの回動を阻止する機能を有する。
【００５７】
次に親骨４に対する生地（シート）の取付け構造について図２１および図２２を参照して説明する。図２１は生地Ｓの部分的裏面図、図２２（Ａ）は図２１のＡ部の拡大図、図２２（Ｂ）は生地Ｓのループ状片９６に親骨を挿通した状態を示す図２１のＡ部の拡大図である。
【００５８】
本実施の形態においては、８本の親骨４が上ろくろ３を中心にして取り付けられる生地Ｓの裏面の親骨４との接触部に、各親骨４が遊びなく挿通される得るループ状片９６が予め生地Ｓに縫い込まれている。
【００５９】
生地Ｓに対するループ状片９６の取付け位置は、親骨４の両端のほぼ中間に対応する位置で、かつ親骨４に対する支え骨８の枢支点Ｐ（図１参照）よりも先端側に設定される。そして、親骨４に対する生地（シート）Ｓの取付けに際しては、親骨４の組付けに先立って８本の親骨４を所謂「お猪口」状態にすることにより、各親骨４の露先側からそれぞれループ状片９６を親骨４に挿入することができ、これによって生地Ｓと８本の親骨４とを容易に結合することができる。
【００６０】
次に、上述のような構成を有する傘１の、修理または廃棄に際しての好ましい分解手順について説明する。
【００６１】
（１）先ず、傘１を開いた状態で、押しボタン式ストッパーピン１５のピン本体１５ｂを押して下ろくろ６の上方への通過を可能にし、図２３に示すように、下ろくろ６を上ろくろ３の近傍まで上方へ摺動させて、親骨４を支え骨８とともに「お猪口」状態にする。これによって、図１１Ｂに示すように支え骨８の根元部が下ろくろ本体５６の支え骨介入溝８０から上方へ脱出し、支え骨枢支部材５４に対する下ろくろ本体５６の相対回動が可能になる。
【００６２】
（２）支え骨枢支部材５４を片方の手の指で抑え、他方の手の指で下ろくろ本体５６を摘んで、下方から見て反時計方向へ回動させ、次いで下方へ引いて、下ろくろ本体５６を支え骨枢支部材５４から外し、すべての支え骨８の根元部を支え骨枢支部材５４から外す。
【００６３】
（２）陣笠５を緩む方向に回して上ろくろ本体１８の円筒状部分３１から外して中棒２から抜き取り、次いで親骨外れ防止ナット２２を円筒状部分３１から外して、すべての親骨４の根元部を親骨枢支ディスク２０から外して、親骨４を生地Ｓおよび支え骨８とともに中棒２から取り去る。この際、すべての露先９を親骨４の先端から外すとともに、生地Ｓのループ状片９６を各親骨４の先端側に抜くことにより、生地Ｓを親骨４から外す。
【００６４】
（３）親骨枢支ディスク２０、上ろくろ本体１８、支え骨枢支部材５４および下ろくろ本体５６を中棒２から上方へ抜き去る。
【００６５】
（４）図２０に示すような治具９４を用いて、そのピン９４ａの先端でピン本体１７ｂをコイルばね１７ｃの付勢力に抗して押圧して、ピン本体１７ｂを係止孔９２から退去させ、中棒２の下端部を手元１０から引き抜く。
【００６６】
このようにして、傘１を完全に分解することができる。
【図面の簡単な説明】
【００６７】
【図１】本発明によるリサイクル傘の実施形態の閉状態における全体構成を、一部を省略して示す概略図
【図２】傘の上端部の分解正面図
【図３Ａ】上ろくろ本体の平面図
【図３Ｂ】上ろくろ本体の正面図
【図３Ｃ】上ろくろ本体の底面図
【図３Ｄ】図３Ａの３Ｄ−３Ｄ線に沿う断面図
【図４Ａ】親骨枢支ディスクの平面図
【図４Ｂ】親骨枢支ディスクの正面図
【図４Ｃ】親骨枢支ディスクの底面図
【図４Ｄ】図４Ａの４Ｄ−４Ｄ線に沿った断面図
【図５Ａ】親骨の根元部の底面図
【図５Ｂ】親骨の根元部が親骨枢支ディスクに枢支された状態を示す平面図
【図６Ａ】親骨外れ防止ナットの断面図
【図６Ｂ】親骨外れ防止ナットの底面図
【図７Ａ】陣笠の断面図
【図７Ｂ】陣笠の底面図
【図８Ａ】支え骨枢支部材の平面図
【図８Ｂ】図８Ａの支え骨枢支部材の正面図
【図８Ｃ】図８Ａの支え骨枢支部材の側面図
【図８Ｄ】図８Ａの支え骨枢支部材の底面図
【図８Ｅ】図８Ａの８Ｅ−８Ｅ線に沿った断面図
【図９Ａ】下ろくろ本体の平面図
【図９Ｂ】図９Ａの下ろくろ本体の正面図
【図９Ｃ】図９Ｂの９Ｃ−９Ｃ線に沿った断面図
【図９Ｄ】図９Ａの９Ｄ−９Ｄ線に沿った断面図
【図１０】下ろくろ正面図
【図１１Ａ】通常の状態における下ろくろと支え骨との位置関係を示す断面図
【図１１Ｂ】傘を分解するときの下ろくろと支え骨との位置関係を示す断面図
【図１２】中棒の要部の正面図
【図１３】中棒に装着された押しボタン式ストッパーピンピンの断面図
【図１４】（Ａ）は図１３のストッパーピンの平面図、（Ｂ）は側面図、（Ｃ）は（Ｂ）の１４Ｃ−１４Ｃ線に沿った断面図、（Ｄ）は（Ｂ）の１４Ｄ−１４Ｄ線に沿った断面図
【図１５】ストッパーピンの変形を示す断面図
【図１６】（Ａ）は図１５のストッパーピンの図１４（Ｃ）に対応する断面図、（Ｂ）は図１４（Ｄ）に対応する断面図
【図１７】（Ａ）はストッパーピンのさらなる変形を示す断面図、（Ｂ）はその側面図
【図１８】図１７に示すストッパーピンが木製の中棒内に装着された状態を示す断面図
【図１９】中棒の下端部が手元に挿入された状態を示す部分的断面図
【図２０】中棒の下端に装着されるコイルばねの正面図
【図２１】生地の部分的裏面図
【図２２】（Ａ）は図２１のＡ部の拡大図、（Ｂ）は生地のループ状片に親骨を挿通した状態を示す図２１のＡ部の拡大図
【図２３】傘を分解するときの傘骨の状態を示す概略図
【符号の説明】
【００６８】
１    傘
２    中棒
３    上ろくろ
４    親骨
６    下ろくろ
８    支え骨
１０    手元
１５，１７    押ボタン式ストッパーピン
１８    上ろくろ本体
２０    親骨枢支ディスク
２２    親骨外れ防止ナット
２４    係合突起
２８，３８    親骨収容溝
３０，７０    フランジ
４２，６４    突軸枢支溝
５４    支え骨枢支部材
５６    下ろくろ本体
６６    係合突起
７４，７５，７８    係合溝
８０    支え骨介入溝
９０    スリ−ブ
９６    ループ状片
【図１】
2009136362.tif 000003
【図２】
2009136362.tif 000004
【図３Ａ】
2009136362.tif 000005
【図３Ｂ】
2009136362.tif 000006
【図３Ｃ】
2009136362.tif 000007
【図３Ｄ】
2009136362.tif 000008
【図４Ａ】
2009136362.tif 000009
【図４Ｂ】
2009136362.tif 000010
【図４Ｃ】
2009136362.tif 000011
【図４Ｄ】
2009136362.tif 000012
【図５Ａ】
2009136362.tif 000013
【図５Ｂ】
2009136362.tif 000014
【図６Ａ】
2009136362.tif 000015
【図６Ｂ】
2009136362.tif 000016
【図７Ａ】
2009136362.tif 000017
【図７Ｂ】
2009136362.tif 000018
【図８Ａ】
2009136362.tif 000019
【図８Ｂ】
2009136362.tif 000020
【図８Ｃ】
2009136362.tif 000021
【図８Ｄ】
2009136362.tif 000022
【図８Ｅ】
2009136362.tif 000023
【図９Ａ】
2009136362.tif 000024
【図９Ｂ】
2009136362.tif 000025
【図９Ｃ】
2009136362.tif 000026
【図９Ｄ】
2009136362.tif 000027
【図１０】
2009136362.tif 000028
【図１１Ａ】
2009136362.tif 000029
【図１１Ｂ】
2009136362.tif 000030
【図１２】
2009136362.tif 000031
【図１３】
2009136362.tif 000032
【図１４】
2009136362.tif 000033
【図１５】
2009136362.tif 000034
【図１６】
2009136362.tif 000035
【図１７】
2009136362.tif 000036
【図１８】
2009136362.tif 000037
【図１９】
2009136362.tif 000038
【図２０】
2009136362.tif 000039
【図２１】
2009136362.tif 000040
【図２２】
2009136362.tif 000041
【図２３】
2009136362.tif 000042